(57)【要約】【課題】バックライトユニットのビジョン及び輝度検出システムにおいて、カメラにより、ＬＣＤ用バックライトユニット（ＢＬＵ）の映像を獲得して、ＢＬＵの欠陥を検査するビジョン検査装備に上／下輝度測定器を取り付けることによって、ＢＬＵのビジョン検査過程で上／下輝度を同時に測定し得るようにする。【解決手段】システムは、検査室の備えられた本体と、本体のガイドレールに沿って往復移動され、ＢＬＵが点灯可能に装着される点灯治具と、検査室を経由するＢＬＵを垂直にラインスキャニングする垂直映像獲得用カメラと、検査室を経由するＢＬＵを傾斜角でラインスキャニングする視野角映像獲得用カメラと、カメラにより得られた映像を処理し、ＢＬＵの欠陥を検出する映像処理手段と、映像処理手段により検出されたＢＬＵの欠陥を表示する出力手段とから構成され、さらに、検査室の出口側上部に取り付けられ、点灯治具に装着されてガイドレールに沿って検査室を通過するＢＬＵの上部輝度を測定する上部輝度測定器を含む。【選択図】図２
2007132911.tif 000002
【特許請求の範囲】
【請求項１】
検査室の備えられた本体と、本体のガイドレールに沿って往復移動され、ＢＬＵ（バックライトユニット）が点灯可能に装着される点灯治具と、検査室を経由するＢＬＵを垂直にラインスキャニングする垂直映像獲得用カメラと、検査室を経由するＢＬＵを傾斜角でラインスキャニングする視野角映像獲得用カメラと、カメラにより得られた映像を処理し、ＢＬＵの欠陥を検出する映像処理手段と、映像処理手段により検出されたＢＬＵの欠陥を表示する出力手段とからなるバックライトユニットのビジョン及び輝度検出システムにおいて、
前記検査室の出口側上部に取り付けられ、前記点灯治具に装着されてガイドレールに沿って検査室を通過するＢＬＵの上部輝度を測定する上部輝度測定器をさらに含むことを特徴とするバックライトユニットのビジョン及び輝度検出システム。
【請求項２】
検査室の備えられた本体と、本体のガイドレールに沿って往復移動され、ＢＬＵ（バックライトユニット）が点灯可能に装着される点灯治具と、検査室を経由するＢＬＵを垂直にラインスキャニングする垂直映像獲得用カメラと、検査室を経由するＢＬＵを傾斜角でラインスキャニングする視野角映像獲得用カメラと、カメラにより得られた映像を処理し、ＢＬＵの欠陥を検出する映像処理手段と、映像処理手段により検出されたＢＬＵの欠陥を表示する出力手段とからなるバックライトユニットのビジョン及び輝度検出システムにおいて、
前記検査室の出口側上部に取り付けられ、前記点灯治具に装着されてガイドレールに沿って検査室を通過する前記ＢＬＵの上部輝度を測定する上部輝度測定器及び、前記点灯治具に設けられ、前記点灯治具に装着されてガイドレールに沿って検査室を通過する前記ＢＬＵの下部輝度を測定する下部輝度測定器をさらに含むことを特徴とするバックライトユニットのビジョン及び輝度検出システム。
【請求項３】
前記上部輝度測定器は、前記ＢＬＵの寸法によって測定距離及び角度を変更調節し得るべく、前記ＢＬＵに対して水平及び上下方向にそれぞれ移動自在に前記本体に取り付けられることを特徴とする請求項１又は請求項２に記載のバックライトユニットのビジョン及び輝度検出システム。
【発明の詳細な説明】
【技術分野】
【０００１】
本発明は、カメラにより、ＬＣＤ（Ｌｉｑｕｉｄ  ｃｒｙｓｔａｌ  ｄｉｓｐｌａｙ）用のバックライトユニット（ＢＬＵ；Ｂａｃｋ  Ｌｉｇｈｔ  Ｕｎｉｔ、以下、ＢＬＵと称する）の映像を獲得し、ＢＬＵの欠陥を検査するビジョン検査装備に上／下輝度測定器をさらに設けることによって、ＢＬＵのビジョン検査過程で上／下輝度（Ｌｕｍｉｎａｎｃｅ）を同時に測定することができるバックライトユニットのビジョン及び輝度検出システムに関する。
【０００２】
さらに詳しくは、点灯治具上にＢＬＵが装着されてから、ビジョン検査室を通過する際、ＢＬＵに対して９０°の角度及び傾斜角度でラインスキャニングする垂直映像獲得用カメラ及び視野角映像獲得用カメラによりＢＬＵの各種欠陥を検査すると共に、ビジョン装備に取り付けられた上／下輝度測定器によりＢＬＵの上／下輝度を測定し得るようにしたバックライトユニットのビジョン及び輝度検出システムに関する。この際、前述したＢＬＵの欠陥としては、点欠陥（例えば、黒点、白点）、線欠陥（スクラッチ）、異物、斑などを含む。
【背景技術】
【０００３】
一般に、ＬＣＤなどのようなディスプレー装置には、光源から出る光を平面化し照射せしめる装置としてＢＬＵを用いるが、ＢＬＵは、光を発生させる光源と、光源からの光を全面に亘って均一にする導光板と、導光板の背面側から漏れる光を再び導光板側に反射させる反射板と、導光板を介して前面側向きの光を拡散させる拡散板と、その他偏光板などからなる積層構造を有している。
【０００４】
前述したように、ＢＬＵを製造する際には、光源を含む導光板に反射板、拡散板、偏光板などを積層することになるが、それぞれの板等の間に異物などが入り込むか、又は、斑やスクラッチのある導光板、反射板、拡散板、及び偏光板が積層され得るため、ＢＬＵに異物、黒点、白点、斑、スクラッチなどのような各種欠陥が生じる不具合があった。
【０００５】
図１に示されるように、従来技術によるＢＬＵビジョン検査装置は、出入口と、検査室１の形成された本体２と、本体２の内部に形成されたガイドレール３に沿って往復移動され、ＢＬＵ４が点灯可能に装着された点灯治具５と、検査室１の内部に設けられ、ＢＬＵ４を垂直にラインスキャニングする垂直映像獲得用カメラ６と、検査室１の内部に設けられ、ＢＬＵ４を傾斜角でラインスキャニングする視野角映像獲得用カメラ７と、本体２の下部に設けられ、カメラにより得られた映像を処理し、ＢＬＵ４の欠陥を検出する映像処理手段８と、本体２の外側面に設けられ、映像処理手段８により検出された欠陥を表示する出力手段９とを含む。
【０００６】
前述した点灯治具５上にＢＬＵ４を装着した後、点灯治具５の印刷回路基板（図示せず）にＢＬＵを接触して、点灯させる。ガイドレール３に沿って、点灯治具５が検査室１の内部を通過する間、垂直映像獲得用カメラ６と、視野角映像獲得用カメラ７とを介してＢＬＵを垂直及び傾斜角でそれぞれラインスキャニングする。
【０００７】
前述したカメラ６、７のラインスキャニングと、映像処理手段８の映像処理とにより、ＢＬＵ４の白点などのような欠陥が検出でき、それからＢＬＵ４は、出口を介して検査室１から抜け出る。この際、検査室１の外側面に取り付けられた出力手段９に、ＢＬＵの持つ欠陥が表示でき、且つ、プリンターにより出力される。これにより、作業者は、ＢＬＵ４に不良があるか否かを判する。
【０００８】
前述したように、ビジョン検査装備を介してＢＬＵの欠陥のみを検査した後、輝度測定仕様のＢＬＵは、また別の工程で輝度測定用治具を用い、作業者による手作業で輝度を直接測定して、データの管理を行うため、作業能率が劣り、作業性や生産性が低下することになる。
【０００９】
さらに、手作業でＢＬＵの輝度を測定した場合、作業者個人の現場経験及び熟練度などによってＢＬＵの輝度測定方法（測定距離及び角度をいう）と、輝度測定ポイントと、輝度測定時間などとに微細な違いが生じ、輝度測定値に対する信頼性が劣るという問題点をも持っていた。
【発明の開示】
【発明が解決しようとする課題】
【００１０】
従って、本発明の目的は、ＢＬＵの欠陥を検出するビジョン検査と、ＢＬＵの輝度を測定する作業とを一元化及び自動化することから、別のエージング（ａｇｉｎｇ）を必要とせず、ＢＬＵ製造工程を単純化することによって作業能率が向上でき、作業性及び生産性に格段に優れたバックライトユニットのビジョン及び輝度検出システムを提供することにある。
【００１１】
本発明の他の目的は、ＢＬＵの輝度測定を自動化し、ＢＬＵの客観的測定値を確保することから、製品に対する信頼度を向上させることが可能なバックライトユニットのビジョン及び輝度検出システムを提供することにある。
【００１２】
また、本発明の他の目的は、検出可能な全てのＢＬＵの輝度測定データを自動に貯蔵し得るため、ＢＬＵの生産日、モデル型、ロット別データベースの管理が簡単且つ容易なバックライトユニットのビジョン及び輝度検出システムを提供することにある。
【００１３】
さらに、本発明の他の目的は、ビジョン検査装備によりＢＬＵの欠陥を検査した後、ＢＬＵのアンローディング（ｕｎｌｏａｄｉｎｇ）状態でＢＬＵの輝度を測定することによって、測定値の誤差を最小化し得るようにしたバックライトユニットのビジョン及び輝度検出システムを提供することにある。
【課題を解決するための手段】
【００１４】
前述した本発明の目的は、検査室の備えられた本体と、本体のガイドレールに沿って往復移動され、ＢＬＵが点灯可能に装着される点灯治具と、検査室を経由するＢＬＵを垂直にラインスキャニングする垂直映像獲得用カメラと、検査室を経由するＢＬＵを傾斜角でラインスキャニングする視野角映像獲得用カメラと、カメラにより得られた映像を処理し、ＢＬＵの欠陥を検出する映像処理手段と、映像処理手段により検出されたＢＬＵの欠陥を表示する出力手段とから構成されるバックライトユニットのビジョン及び輝度検出システムにおいて、検査室の出口側上部に取り付けられ、点灯治具に装着されてガイドレールに沿って検査室を通過するＢＬＵの上部輝度を測定する上部輝度測定器をさらに含むことを特徴とするバックライトユニットのビジョン及び輝度検出システムを提供することによって達成される。
【００１５】
また、本発明の目的は、検査室の備えられた本体と、本体のガイドレールに沿って往復移動され、ＢＬＵが点灯可能に装着される点灯治具と、検査室を経由するＢＬＵを垂直にラインスキャニングする垂直映像獲得用カメラと、検査室を経由するＢＬＵを傾斜角でラインスキャニングする視野角映像獲得用カメラと、カメラにより得られた映像を処理し、ＢＬＵの欠陥を検出する映像処理手段と、映像処理手段により検出されたＢＬＵの欠陥を表示する出力手段とから構成されるバックライトユニットのビジョン及び輝度検出システムにおいて、検査室の出口側上部に取り付けられ、前記点灯治具に装着されてガイドレールに沿って検査室を通過するＢＬＵの上部輝度を測定する上部輝度測定器及び、点灯治具に設けられ、点灯治具に装着されてガイドレールに沿って検査室を通過するＢＬＵの下部輝度を測定する下部輝度測定器をさらに含むことを特徴とするバックライトユニットのビジョン及び輝度検出システムを提供することによって達成される。
【００１６】
この際、前述した上部輝度測定器は、ＢＬＵの寸法によって測定距離及び角度を変更調節し得るべく、ＢＬＵに対して水平方向及び上下方向にそれぞれ移動可能に本体に装着される。
【発明の効果】
【００１７】
前述したように、本発明によるバックライトユニットのビジョン及び輝度検出システムは、ＢＬＵの欠陥を検出するビジョン検査と、ＢＬＵの輝度を測定する作業とを一元化及び自動化することによって、別のエージングタイム（ａｇｉｎｇ  ｔｉｍｅ）を必要とせず、ＢＬＵ製造工程を単純化することから、大量生産による価格競争力を持つことができる。
【００１８】
また、ＢＬＵの輝度測定を自動化し、ＢＬＵの客観的輝度測定値を確保することによって、製品の信頼度を向上させることができる。さらに、検出可能な全てのＢＬＵの輝度測定データを自動に貯蔵し得るため、ＢＬＵの生産日、モデル型、ロット別のデータベース管理が簡単かつ容易である。
【００１９】
さらに、ビジョン検査装備によりＢＬＵの欠陥を検査した後、ＢＬＵのアンローディング状態でＢＬＵ輝度を測定することから、測定値の誤差を最小化することができる。
【発明を実施するための最良の形態】
【００２０】
以下では、本発明の望ましい実施例を添付図面を参照して説明するが、これは、本発明の属する技術分野において通常の知識を有する者が容易に実施し得る程度内にて詳細に説明するためのものであって、これにより本発明の技術的思想及び範疇に限定されるものではない。
【発明を実施するための形態】
【００２１】
以下、図２、図３、図４及び図５に示されるように、本発明は、出入口と、検査室１の備えられた本体２と、駆動手段（図示せず）の駆動時、本体２の内部に設けられたガイドレール３に沿って往復移動され、ＢＬＵ４が点灯可能に図示されていない印刷回路基板（ＰＣＢ）に接続されかつ装着される点灯治具５と、点灯治具５に装着され、検査室１を経由するＢＬＵ４を垂直にラインスキャニングする垂直映像獲得用カメラ６と、点灯治具５に装着され、検査室１を経由するＢＬＵ４を傾斜角（例えば、ＢＬＵ４の各種欠陥を精度よく分別し得るべく、４０度ないし４５度に傾けて設ける）でラインスキャニングする視野角映像獲得用カメラ７と、本体２の下部に装着され、カメラ６、７により獲得（つまり、撮影のこと）された映像等を処理し、ＢＬＵ４の白点などのような各種欠陥を自動に検出する映像処理手段８と、本体２の外側面に設けられ、映像処理手段８により検出されたＢＬＵ４の欠陥類型（斑、白点、黒点、スクラッチなどを言う）を表示する出力手段９とを含むバックライトユニットのビジョン及び輝度検出システムに適用される。これらは、図１に示された構成部分と同一であるため、詳しい説明は略すと共に、重複される図面符号については同一符号を付して説明する。
【００２２】
図２に示されるように、本発明によるバックライトユニットのビジョン及び輝度検出システムは、前述した検査室１の出口側上部に取り付けられ、点灯治具５に装着されてガイドレール３に沿って検査室１を通過するＢＬＵ４の上部輝度を測定する上部輝度測定器１０をさらに含む。
【００２３】
この際、前述した上部輝度測定器１０は、ＢＬＵ４の寸法（つまり、仕様をいう）によって、ＢＬＵ４の輝度測定距離及び角度を容易に変更調整し得るべく、本体２に水平方向及び上下方向に移動自在に取り付けられたブラケット１２に装着されることも可能である。
【００２４】
以下に、本発明によるバックライトユニットのビジョン及び輝度検出システムの使用例を添付図面に基づいて詳しく説明する。図４及び図５に示されるように、前述した点灯治具５に装着のＢＬＵ４がガイドレール３に沿って検査室１を通過する際、検査室１の内部に装着されている垂直映像獲得用カメラ６によりＢＬＵ４を垂直にラインスキャニングし、また検査室内部に装着された視野角映像獲得用カメラ７によりＢＬＵ４を所定傾斜角でラインスキャニングする。
【００２５】
前述した本体２の下部に設けられた映像処理手段８により、カメラ６、７により得られた映像を映像処理（カメラ６、７のラインスキャニング動作を制御し、該ラインスキャニングの結果をプロセッシングすることで、映像を獲得することをいう）して、ＢＬＵ４の各種欠陥を検出し、さらに本体２の外側面に設けられた出力手段９（例えば、モニタやプリンターをいう）に、ＢＬＵ４の検出された欠陥を表示する。
【００２６】
一方、駆動手段（図示略）の駆動時、ガイドレール３に沿って点灯治具５に装着されたＢＬＵ４が検査室１の出口側から抜け出る際、本体２の上部に取り付けられた上部輝度測定器１０によりＢＬＵ４の上端輝度を測定する。
【００２７】
かくして、前述した検査室１に施されたＢＬＵビジョン検査装備によりＢＬＵ４の各種欠陥を検出する過程（ＢＬＵ４のアンローディング状態を言う）でＢＬＵ４の輝度を共に測定することによって、ＢＬＵ４の輝度測定のための別のエージングタイム（ａｇｉｎｇ  ｔｉｍｅ）を不要とし、ＢＬＵ４の移送時間を短縮することによって、作業性を向上させることができる。
【００２８】
図２及び図３に示されるように、本発明は、出入口と、検査室１の備えられた本体２と、本体のガイドレール３に沿って往復移動され、ＢＬＵ４が点灯可能に装着される点灯治具５と、点灯治具５に装着され、検査室１を経由するＢＬＵ４を垂直にラインスキャニングする垂直映像獲得用カメラ６と、点灯治具５に装着され、検査室１を経由するＢＬＵ４を傾斜角でラインスキャニングする視野角映像獲得用カメラ７と、本体２の下部に取り付けられ、カメラ６、７により獲得された映像を処理し、ＢＬＵ４の白点などの欠陥を検出する映像処理手段８と、本体２の外側面に取り付けられ、映像処理手段８により検出されたＢＬＵ４の欠陥を表示する出力手段９とを、含むバックライトユニットのビジョン及び輝度検出システムに適用される。これらは、図１に示されたものと同様であるため、詳しい説明は略すと共に、重複される図面符号については同一符号を付して説明する。
【００２９】
図３に示されるように、本発明の他の実施例によるバックライトユニットのビジョン及び輝度検出システムは、前記検査室１の出口側上部に取り付けられ、点灯治具５に装着されてガイドレール３に沿って検査室１を通過するＢＬＵ４の上部輝度を測定する上部輝度測定器１０と、点灯治具５に設けられ、点灯治具５に装着されてガイドレール３に沿って検査室１を通過するＢＬＵ４の下部輝度を測定する下部輝度測定器１１をさらに含む。
【００３０】
前述した上部輝度測定器１０は、ＢＬＵ４の寸法（仕様をいう）によって、ＢＬＵ４の輝度測定距離及び角度を容易に変更し調節し得るべく、本体２に水平方向及び上下方向に移動自在に取り付けられたブラケット１２に装着されることは言うまでもない。
【００３１】
一方、前記点灯治具５に装着されたＢＬＵ４がガイドレール３に沿って検査室１を通過する際、垂直映像獲得用カメラ６と視野角映像獲得用カメラ７とにより、ＢＬＵ４をラインスキャニングすることによって、ＢＬＵ４の各種欠陥を検出することになる。そして、ガイドレール３に沿って、ＢＬＵ４が検査室１の出口側から抜け出る際、本体２の上部に取り付けられた上部輝度測定器１０を介してＢＬＵ４の上端の輝度を測定するということを除いては、図２に示された本発明の一実施例と同様であるため、詳しい説明は省略する。
【図面の簡単な説明】
【００３２】
【図１】従来技術によるバックライトユニットのビジョン検査装置の概略図である。
【図２】本発明によるバックライトユニットのビジョン及び輝度検出システムの要部を抜粋した斜視図である。
【図３】本発明の他の実施例によるバックライトユニットのビジョン及び輝度検出システムの要部を抜粋した斜視図である。
【図４】本発明によるバックライトユニットのビジョン及び輝度検出システムの使用状態図である。
【図５】本発明によるバックライトユニットのビジョン及び輝度検出システムの出力装置の概略図である。
【符号の説明】
【００３３】
１  検査室
２  本体
３  ガイドレール
４  ＢＬＵ（ＢＬＵ；Ｂａｃｋ  Ｌｉｇｈｔ  Ｕｎｉｔ）
５  点灯治具
６  垂直映像獲得用カメラ
７  視野角映像獲得用カメラ
８  映像処理手段
９  出力手段
１０  上部輝度測定器
１１  下部輝度測定器
【図１】
2007132911.tif 000003
【図２】
2007132911.tif 000004
【図３】
2007132911.tif 000005
【図４】
2007132911.tif 000006
【図５】
2007132911.tif 000007